(57)【要約】  【課題】  暗号化したデジタルデータを復号することなしにメタ情報を利用可能とすることができる暗号化ファイル作成方法、暗号化ファイル作成装置、及びプログラムを提供する。  【解決手段】  本発明では、音楽データ等のデジタルデータの内容に係るメタ情報を取得し、デジタルデータをメタ情報を含んだデータファイルへ変換する。次に、データファイルとメタ情報とを個別に暗号化し、メタ情報を暗号化した暗号化メタ情報とデータファイルを暗号化した暗号化データとを含んだ暗号化ファイルを作成する。メタ情報を暗号化ファイルから取り出すことにより、暗号化データを復号せずともメタ情報が利用できる。またメタ情報を予め含んだデータファイルについては、メタ情報を抽出して暗号化し、暗号化メタ情報と暗号化データとを含んだ暗号化ファイルを作成する。【選択図】        図３
2006244425.tif 000002
【特許請求の範囲】
【請求項１】
データの内容に係るメタ情報を取得するステップと、
前記データを暗号化して暗号化データを作成するステップと、
作成した暗号化データ、及び取得した前記メタ情報を含む暗号化ファイルを作成するステップと
を含むことを特徴とする暗号化ファイル作成方法。
【請求項２】
データの内容に係るメタ情報を取得するステップと、
取得したメタ情報を含むデータファイルへ前記データを変換するステップと、
前記データを変換した前記データファイルを暗号化して暗号化データを作成するステップと、
作成した暗号化データ、及び取得した前記メタ情報を含む暗号化ファイルを作成するステップと
を含むことを特徴とする暗号化ファイル作成方法。
【請求項３】
内容に係るメタ情報を含むデータファイルからメタ情報を抽出するステップと、
前記データファイルを暗号化して暗号化データを作成するステップと、
作成した暗号化データ、及び前記データファイルから抽出したメタ情報を含む暗号化ファイルを作成するステップと
を含むことを特徴とする暗号化ファイル作成方法。
【請求項４】
前記暗号化ファイルに含ませるべき前記メタ情報を暗号化するステップを更に含むことを特徴とする請求項１乃至３のいずれか一つに記載の暗号化ファイル作成方法。
【請求項５】
データの内容に係るメタ情報を取得するメタ情報取得手段と、
前記データを暗号化して暗号化データを作成する手段と、
該手段が作成した暗号化データ、及び前記メタ情報取得手段が取得したメタ情報を含む暗号化ファイルを作成する暗号化ファイル作成手段と
を備えることを特徴とする暗号化ファイル作成装置。
【請求項６】
データの内容に係るメタ情報を取得するメタ情報取得手段と、
該メタ情報取得手段が取得したメタ情報を含むデータファイルへ前記データを変換する手段と、
該手段が前記データを変換した前記データファイルを暗号化して暗号化データを作成する手段と、
該手段が作成した暗号化データ、及び前記メタ情報取得手段が取得したメタ情報を含む暗号化ファイルを作成する暗号化ファイル作成手段と
を備えることを特徴とする暗号化ファイル作成装置。
【請求項７】
内容に係るメタ情報を含むデータファイルからメタ情報を抽出するメタ情報抽出手段と、
前記データファイルを暗号化して暗号化データを作成する手段と、
該手段が作成した暗号化データ、及び前記メタ情報抽出手段が前記データファイルから抽出したメタ情報を含む暗号化ファイルを作成する暗号化ファイル作成手段と
を備えることを特徴とする暗号化ファイル作成装置。
【請求項８】
前記暗号化ファイル作成手段は、前記暗号化ファイルに含ませるべき前記メタ情報を暗号化する手段を有することを特徴とする請求項５乃至７のいずれか一つに記載の暗号化ファイル作成装置。
【請求項９】
データ処理装置に、データの内容に係るメタ情報を取得させる手順と、
データ処理装置に、前記データを暗号化して暗号化データを作成させる手順と、
データ処理装置に、作成した暗号化データ、及び取得した前記メタ情報を含む暗号化ファイルを作成させる手順と
を含むことを特徴とするプログラム。
【発明の詳細な説明】
【技術分野】
【０００１】
本発明は、音楽データ等のデジタルデータを暗号化した暗号化ファイル作成方法、暗号化ファイル作成装置、及びプログラムに関する。
【背景技術】
【０００２】
デジタル技術の発達に伴い、ＡＶレコーダ又はパーソナルコンピュータ（ＰＣ）等のデータ処理装置を用いて、音楽データ、画像データ、及び動画データ等のデジタルデータを容易に作成することが可能になっている。またインターネット等の通信ネットワークを通じて音楽データ等のデジタルデータをＭＰ３（MPEG-1 Audio Layer-3）ファイル等の形式で配信し、配信したデジタルデータの対価として料金を徴収するサービスも多く提供されている。しかしながら、デジタルデータは複製によって品質が劣化しないので、著作権者の許諾を得ずに複製・配布が繰り返されることによる著作権侵害も多く発生している。この著作権侵害に対抗するために、種々のデジタル著作権管理（ＤＲＭ：Digital Rights Management ）技術が開発されている。ＤＲＭ技術の例として、デジタルデータに電子透かしを埋め込む技術、デジタルデータの複製回数を制限する技術、又はデジタルデータを暗号化しておいて特定の機器でのみ再生を可能とする技術等、種々の技術が開発されて利用されている。
【特許文献１】特開２００４−２１８２２号公報
【発明の開示】
【発明が解決しようとする課題】
【０００３】
ＭＰ３ファイル等のデータファイルの形式で利用される音楽データ等のデジタルデータは、タイトル、演奏者名、又はアルバム名等のデジタルデータの内容に関するメタ情報を含んでいるのが通常であり、このメタ情報に基づいてデータファイルの管理が行われる。従来のデジタルデータを暗号化するＤＲＭ技術では、データファイルがメタ情報を含んだ状態で暗号化を行っている。従って、複数の暗号化されたデータファイルの中からタイトルに基づいて所望のデータファイルを検索して再生する場合等、メタ情報を利用する処理を行う際には、暗号化されたデータファイルを一旦復号し、復号したデータファイルに含まれるメタ情報を抽出する必要があり、処理効率が悪いという問題がある。
【０００４】
本発明は、斯かる事情に鑑みてなされたものであって、その目的とするところは、暗号化したデジタルデータを復号することなしにメタ情報を利用可能とすることができる暗号化ファイル作成方法、暗号化ファイル作成装置、及びプログラムを提供することにある。
【課題を解決するための手段】
【０００５】
本発明に係る暗号化ファイル作成方法は、データの内容に係るメタ情報を取得するステップと、前記データを暗号化して暗号化データを作成するステップと、作成した暗号化データ、及び取得した前記メタ情報を含む暗号化ファイルを作成するステップとを含むことを特徴とする。
【０００６】
本発明に係る暗号化ファイル作成方法は、データの内容に係るメタ情報を取得するステップと、取得したメタ情報を含むデータファイルへ前記データを変換するステップと、前記データを変換した前記データファイルを暗号化して暗号化データを作成するステップと、作成した暗号化データ、及び取得した前記メタ情報を含む暗号化ファイルを作成するステップとを含むことを特徴とする。
【０００７】
本発明に係る暗号化ファイル作成方法は、内容に係るメタ情報を含むデータファイルからメタ情報を抽出するステップと、前記データファイルを暗号化して暗号化データを作成するステップと、作成した暗号化データ、及び前記データファイルから抽出したメタ情報を含む暗号化ファイルを作成するステップとを含むことを特徴とする。
【０００８】
本発明に係る暗号化ファイル作成方法は、前記暗号化ファイルに含ませるべき前記メタ情報を暗号化するステップを更に含むことを特徴とする。
【０００９】
本発明に係る暗号化ファイル作成装置は、データの内容に係るメタ情報を取得するメタ情報取得手段と、前記データを暗号化して暗号化データを作成する手段と、該手段が作成した暗号化データ、及び前記メタ情報取得手段が取得したメタ情報を含む暗号化ファイルを作成する暗号化ファイル作成手段とを備えることを特徴とする。
【００１０】
本発明に係る暗号化ファイル作成装置は、データの内容に係るメタ情報を取得するメタ情報取得手段と、該メタ情報取得手段が取得したメタ情報を含むデータファイルへ前記データを変換する手段と、該手段が前記データを変換した前記データファイルを暗号化して暗号化データを作成する手段と、該手段が作成した暗号化データ、及び前記メタ情報取得手段が取得したメタ情報を含む暗号化ファイルを作成する暗号化ファイル作成手段とを備えることを特徴とする。
【００１１】
本発明に係る暗号化ファイル作成装置は、内容に係るメタ情報を含むデータファイルからメタ情報を抽出するメタ情報抽出手段と、前記データファイルを暗号化して暗号化データを作成する手段と、該手段が作成した暗号化データ、及び前記メタ情報抽出手段が前記データファイルから抽出したメタ情報を含む暗号化ファイルを作成する暗号化ファイル作成手段とを備えることを特徴とする。
【００１２】
本発明に係る暗号化ファイル作成装置は、前記暗号化ファイル作成手段は、前記暗号化ファイルに含ませるべき前記メタ情報を暗号化する手段を有することを特徴とする。
【００１３】
本発明に係るプログラムは、データ処理装置に、データの内容に係るメタ情報を取得させる手順と、データ処理装置に、前記データを暗号化して暗号化データを作成させる手順と、データ処理装置に、作成した暗号化データ、及び取得した前記メタ情報を含む暗号化ファイルを作成させる手順とを含むことを特徴とする。
【００１４】
本発明においては、音楽データ等のデータの内容に係る曲名等のメタ情報を取得し、データを暗号化し、データを暗号化した暗号化データとメタ情報とを独立に含む暗号化ファイルを作成する。
【００１５】
また本発明においては、ＣＤから読み出した音楽データ等のデータの内容に係る曲名等のメタ情報を、通信ネットワーク等から取得し、取得したメタ情報を含ませてデータをデータファイルへ変換し、変換したデータファイルを暗号化し、データファイルを暗号化した暗号化データとメタ情報とを独立に含む暗号化ファイルを作成する。
【００１６】
また本発明においては、曲名等のメタ情報を含むＭＰ３ファイル等のデータファイルからメタ情報を抽出し、データファイルを暗号化し、データファイルを暗号化した暗号化データと抽出したメタ情報とを独立に含む暗号化ファイルを作成する。
【００１７】
更に本発明においては、メタ情報を単独で暗号化し、暗号化したメタ情報を暗号化ファイルに含ませる。
【発明の効果】
【００１８】
本発明にあっては、デジタルデータを暗号化して暗号化ファイルに含ませることにより、復号鍵を有していない機器では、音楽の再生等のデータ利用ができないので、デジタルデータの著作権管理が可能となる。またデジタルデータを暗号化した暗号化データとは独立して暗号化ファイルに含ませれているメタ情報を取り出すことにより、デジタルデータの内容に係る音楽の曲名等のメタ情報を容易に利用することができる。
【００１９】
また本発明にあっては、デジタルのデータファイルを暗号化して暗号化ファイルに含ませることにより、復号鍵を有していない機器では、音楽の再生等によるデータファイルの利用ができないので、データファイルの著作権管理が可能となる。またメタ情報を含んだ上でデータファイルを暗号化した暗号化データとは独立して暗号化ファイルに含ませれているメタ情報を取り出すことにより、暗号化データを復号せずともメタ情報が利用できるようになるので、暗号化を行うＤＲＭ技術を用いる機器において効率よくメタ情報を利用することが可能となる。
【００２０】
更に本発明にあっては、メタ情報をも暗号化して暗号化ファイルに含ませてあるので、暗号化ファイルを解読することがより困難となるので、デジタルデータに対するより強固な著作権管理が可能となる等、本発明は優れた効果を奏する。
【発明を実施するための最良の形態】
【００２１】
以下本発明をその実施の形態を示す図面に基づき具体的に説明する。
図１は、本発明の暗号化ファイル作成装置１の内部の機能構成を示す機能ブロック図である。暗号化ファイル作成装置１は、ＰＣ等のコンピュータを用いて構成されており、演算を行うＣＰＵ１１と、演算に伴って発生する一時的な情報を記憶するＲＡＭ１２と、音楽データ又は画像データ等のデジタルデータを記録したＣＤ又はＤＶＤ等の記録媒体を受け付けるドライブ部１３と、ハードディスク等の記憶部１４とを備えている。記憶部１４は、ＣＤ−ＲＯＭ等の記録媒体からドライブ部１３が読み取った本発明のプログラム１０を記憶している。本発明のプログラム１０は、必要に応じて記憶部１４からＲＡＭ１２にロードされ、ロードされたプログラム１０に基づいてＣＰＵ１１は暗号化ファイル作成装置１に必要な処理を実行する。
【００２２】
また暗号化ファイル作成装置１は、使用者が操作することによる各種の処理指示等の情報が入力されるキーボード又はポインティングデバイス等の入力部１５と、外部へ情報を出力するディスプレイ又はプリンタ等の出力部１６とを備えている。更に暗号化ファイル作成装置１は、外部の通信ネットワークＮに接続された通信部１７を備えている。通信部１７は、通信ネットワークＮとの間で各種の情報を交換する構成となっている。通信ネットワークＮには、音楽データ等のデジタルデータの内容に係るメタ情報を記憶するデータベースサーバ装置２と、音楽データファイル又は画像データファイル等のデータファイルを記憶するファイルサーバ装置３とが接続されている。通信部１７は、通信ネットワークＮを介してデータベースサーバ装置２又はファイルサーバ装置３とデータを送受信することができる。
【００２３】
なお、本発明のプログラム１０は、通信ネットワークＮに接続された図示しないサーバ装置から暗号化ファイル作成装置１へダウンロードされて記憶部１４に記憶される形態であってもよい。
【００２４】
ＣＰＵ１１は、ＲＡＭ１２にロードしたプログラム１０に従って、ＣＤ等の記録媒体が記録するデジタルデータをドライブ部１３で読み込み、読み込んだデジタルデータを暗号化して本発明に係る暗号化ファイルを作成する構成となっている。以下に、記録媒体がＣＤであってデジタルデータが音楽データである例を主に用いて、デジタルデータから暗号化ファイルを作成する本発明の暗号化ファイル作成方法を説明する。ＣＰＵ１１は、ＲＡＭ１２にロードしたプログラム１０に従って以下の処理を実行する。
【００２５】
図２は、本発明の暗号化ファイル作成装置１がデジタルデータから暗号化ファイルを作成する処理の手順を示すフローチャートである。ＣＰＵ１１は、ＣＤ等の記録媒体をドライブ部１３で受け付けることを待ち受けている（Ｓ１０１）。ドライブ部１３での記録媒体の受け付けがない場合は（Ｓ１０１：ＮＯ）、ＣＰＵ１１は、記録媒体の受付の待ち受けを続行する。ドライブ部１３で記録媒体を受け付けた場合は（Ｓ１０１：ＹＥＳ）、ＣＰＵ１１は、記録媒体が記録しているデータの特徴を示す特徴情報をドライブ部１３に読み込ませる（Ｓ１０２）。記録媒体がＣＤである場合は、ドライブ部１３はＴＯＣ（Table of Contents ）情報を特徴情報としてＣＤから読み込む。
【００２６】
ＣＰＵ１１は、次に、読み込んだ特徴情報に基づいて、記録媒体が記録しているデータの内容に係るメタ情報を記憶部１４から検索し、データの内容に係るメタ情報を記憶部１４が記憶している場合は記憶部１４からメタ情報を取得し、メタ情報を記憶部１４が記憶していない場合は、通信部１７に通信ネットワークＮを介してデータベースサーバ装置２へメタ情報の検索指示を送信させ、検索したメタ情報をデー場ベースサーバ装置２から通信ネットワークＮを介して通信部１７が受信することによって、データの内容に係るメタ情報を取得する（Ｓ１０３）。デジタルデータが音楽データである場合は、メタ情報は、曲のタイトル、演奏者名、又はアルバム名等の情報である。
【００２７】
ＣＰＵ１１は、次に、取得したメタ情報を出力部１６に出力させ（Ｓ１０４）、メタ情報の内容を確認した使用者が入力部１５を操作することによる、メタ情報の修正指示の入力部１５での入力を待ち受ける（Ｓ１０５）。メタ情報の修正指示の入力があった場合は（Ｓ１０５：ＹＥＳ）、ＣＰＵ１１は、入力に応じてメタ情報を修正し（Ｓ１０６）、処理をステップＳ１０４へ戻す。なお、メタ情報の検索を行うことなく、最初から入力部１５でメタ情報を入力される処理を行っても良く、また記録媒体がメタ情報を記録している場合には、ドライブ部１３で記録媒体からメタ情報を読み込む処理を行ってもよい。
【００２８】
ステップＳ１０５でメタ情報の修正指示の入力がない場合は（Ｓ１０５：ＮＯ）、ＣＰＵ１１は、次に、使用者が入力部１５を操作することによる、記録媒体からのデータの取り込み指示の入力部１５での入力を待ち受ける（Ｓ１０７）。データの取り込み指示の入力がない場合は（Ｓ１０７：ＮＯ）、ＣＰＵ１１は、データの取り込み指示の入力の待ち受けを続行する。データの取り込み指示の入力があった場合は（Ｓ１０７：ＹＥＳ）、ＣＰＵ１１は、入力された取り込み指示に応じて、記録媒体が記録している所望のデータをドライブ部１３に取り込ませる（Ｓ１０８）、ＣＰＵ１１は、次に、取り込んだデータを、データの内容に係るメタ情報を含んだデータファイルへ変換する（Ｓ１０９）。記録媒体がＣＤである場合は、ＣＰＵ１１は、ＣＤから取り込んだ音楽データをＭＰ３ファイル等のデータファイルへ変換する。
【００２９】
ＣＰＵ１１は、次に、作成したデータファイルを暗号化し（Ｓ１１０）、このデータファイルに含ませたメタ情報を別に暗号化する（Ｓ１１１）。ＣＰＵ１１は、次に、データファイルを暗号化した暗号化データと、メタ情報を暗号化した暗号化メタ情報とを含む暗号化ファイルを作成し（Ｓ１１２）、作成した暗号化ファイルを記憶部１４に記憶し（Ｓ１１３）、処理を終了する。
【００３０】
図３は、デジタルデータから暗号化ファイルを作成する処理の概念を示す概念図である。暗号化ファイル作成装置１は、音楽データ等のデジタルデータを、データの内容に係るメタ情報を含んだデータファイルへ変換する。次に暗号化ファイル作成装置１は、データファイルとメタ情報とを個別に暗号化し、ヘッダ情報と、メタ情報を暗号化した暗号化メタ情報と、データファイルを暗号化した暗号化データとを含んだ暗号化ファイルを作成する。暗号化ファイルは、暗号化ファイル作成装置１内で利用されるか、又は、暗号化ファイルを復号可能な機能を備えた音楽プレーヤ等の機器へコピー又は移動されて利用される。音楽の再生等、暗号化ファイルを利用する際には、所定の復号鍵を用いて暗号化データを復号し、復号したデータを利用する。復号鍵を有していない機器では、音楽の再生等のデータ利用ができないので、デジタルデータの著作権管理が可能となる。またヘッダ情報にコピーの可又は不可を示す情報を埋め込む等により、デジタルデータの複製を制限することも可能である。
【００３１】
更にデータの検索等、データの内容に係るメタ情報を利用する際には、暗号化ファイルから暗号化メタ情報を取り出し、取り出した暗号化メタ情報を復号し、復号したメタ情報を利用する。暗号化データとは独立して暗号化ファイルに含まれている暗号化メタ情報を復号することによって暗号化データを復号せずともメタ情報が利用できるようになるので、暗号化を行うＤＲＭ技術を用いる機器において効率よくメタ情報を利用することが可能となる。
【００３２】
以上では、記録媒体に記録されたデジタルデータから暗号化ファイルを作成する処理を説明したが、デジタルデータの通信ネットワークＮを介した配信等では、デジタルデータがデータファイルの形式で提供されることも多く、本発明では、デジタルのデータファイルから暗号化ファイルを作成することも可能とする。次に、データファイルから暗号化ファイルを作成する本発明の暗号化ファイル作成方法を説明する。ＣＰＵ１１は、ＲＡＭ１２にロードしたプログラム１０に従って以下の処理を実行する。
【００３３】
図４は、本発明の暗号化ファイル作成装置１がデータファイルから暗号化ファイルを作成する処理の手順を示すフローチャートである。ＣＰＵ１１は、使用者が入力部１５を操作することによる、データファイルの取り込み指示の入力部１５での入力を待ち受ける（Ｓ２１）。データファイルの取り込み指示の入力がない場合は（Ｓ２１：ＮＯ）、ＣＰＵ１１は、データファイルの取り込み指示の入力の待ち受けを続行する。データファイルの取り込み指示の入力があった場合は（Ｓ２１：ＹＥＳ）、ＣＰＵ１１は、入力された取り込み指示に応じて、通信ネットワークＮを介してファイルサーバ装置３から送信されたデータファイルを通信部１７で受信するか、又は記録媒体が記憶しているデータファイルをドライブ部１３で読み込むことにより、所望のデータファイルを取り込む（Ｓ２２）。このとき所望のデジタルデータが音楽データである場合は、ＣＰＵ１１は、ＭＰ３ファイル等のデータファイルを取り込む。
【００３４】
ＣＰＵ１１は、次に、取り込んだデータファイルから、内容に係るメタ情報を抽出する（Ｓ２３）。ここでデータファイルがＭＰ３ファイルである場合は、ＣＰＵ１１は、ＭＰ３ファイルからメタ情報としてＩＤ３タグを抽出する。ＣＰＵ１１は、次に、取り込んだデータファイルを暗号化し（Ｓ２４）、このデータファイルから抽出したメタ情報を別に暗号化する（Ｓ２５）。ＣＰＵ１１は、次に、データファイルを暗号化した暗号化データと、メタ情報を暗号化した暗号化メタ情報とを含む暗号化ファイルを作成し（Ｓ２６）、作成した暗号化ファイルを記憶部１４に記憶し（Ｓ２７）、処理を終了する。
【００３５】
図５は、データファイルから暗号化ファイルを作成する処理の概念を示す概念図である。暗号化ファイル作成装置１は、内容に係るメタ情報を含んだデータファイルからメタ情報を抽出し、データファイルとメタ情報とを個別に暗号化し、ヘッダ情報と、メタ情報を暗号化した暗号化メタ情報と、データファイルを暗号化した暗号化データとを含んだ暗号化ファイルを作成する。デジタルデータから作成した暗号化ファイルの場合と同様に、復号鍵を有していない機器では、音楽の再生等のデータ利用ができないので、デジタルデータの著作権管理が可能となる。またメタ情報を利用する際には、暗号化データとは独立して暗号化ファイルに含まれている暗号化メタ情報を復号することによって暗号化データを復号せずともメタ情報が利用できるようになるので、暗号化を行うＤＲＭ技術を用いる機器において効率よくメタ情報を利用することが可能となる。
【００３６】
なお、以上の本実施の形態においては、メタ情報を暗号化した上で暗号化ファイルに含ませる処理を行う例を示したが、これに限るものではなく、本発明の暗号化ファイル作成装置は、暗号化せずにメタ情報を暗号化ファイルに含ませる処理を行う形態であってもよい。
【００３７】
また本実施の形態においては、記憶媒体がＣＤであって暗号化対象のデジタルデータが音楽データである例を主に用いて本発明を説明したが、これに限るものではなく、本発明では、記録媒体は、ＤＶＤ又はＭＯ等の光ディスク、磁気ディスク、磁気テープ、可搬型の半導体メモリ、可搬型のハードディスク等のその他の記録媒体に記録された、静止画像データ、動画像データ又は一般の音声データ等のその他のデジタルデータを処理対象とすることが可能である。また本発明の暗号化ファイル作成装置は、記録媒体から取り込んだデータ又は通信ネットワークＮを介して取り込んだデータのみならず、内部に記憶しているデータ、又は図示しないインタフェースを用いて外部の他の機器から取り込んだデータに対しても、本発明の暗号化ファイル作成方法を用いた処理を行う形態であってもよい。従って本発明では、一般的なデジタルデータの著作権管理を行うことが可能となる。
【００３８】
また本実施の形態においては、本発明の暗号化ファイル作成装置として、本発明のプログラム１０に従って本発明の暗号化ファイル作成方法を実行するデータ処理装置であるＰＣ等のコンピュータを用いて実現する形態を示したが、これに限るものではなく、本発明の暗号化ファイル作成装置は、ＣＤ又はＤＶＤ等の記録媒体に記録されている音楽データ又は画像データ等のデジタルデータを再生するＡＶプレーヤ、テレビ放送による画像データ等のデジタルデータを記録することができるＡＶレコーダ、又は携帯電話等、その他の機器であってもよい。また本発明の暗号化ファイル作成装置は、通信ネットワークに接続可能な形態には限らず、通信ネットワークを用いずに処理を行う形態であってもよい。
【図面の簡単な説明】
【００３９】
【図１】本発明の暗号化ファイル作成装置の内部の機能構成を示す機能ブロック図である。
【図２】本発明の暗号化ファイル作成装置がデジタルデータから暗号化ファイルを作成する処理の手順を示すフローチャートである。
【図３】デジタルデータから暗号化ファイルを作成する処理の概念を示す概念図である。
【図４】本発明の暗号化ファイル作成装置がデータファイルから暗号化ファイルを作成する処理の手順を示すフローチャートである。
【図５】データファイルから暗号化ファイルを作成する処理の概念を示す概念図である。
【符号の説明】
【００４０】
１  暗号化ファイル作成装置
１０  プログラム
１１  ＣＰＵ
１２  ＲＡＭ
１３  ドライブ部
１４  記憶部
１７  通信部
２  データベースサーバ装置
３  ファイルサーバ装置
Ｎ  通信ネットワーク
【図１】
2006244425.tif 000003
【図２】
2006244425.tif 000004
【図３】
2006244425.tif 000005
【図４】
2006244425.tif 000006
【図５】
2006244425.tif 000007